(57)【要約】【課題】  ドレンパン内における抗菌剤（例えば、抗菌剤）の設置位置を工夫することにより、最小量の抗菌剤で十分な静菌効果を発揮させ得るようにする。【解決手段】  熱交換器６および送風機７を備え、前記熱交換器６の下方には、ドレン水Ｄを受け止めるドレンパン８を設けてなる空気調和機において、前記ドレンパン８における排水位置から最も遠い位置までの距離の中間位置より反排水側に抗菌剤１９を配設して、静止ドレン水中においても、流水ドレン水中においても、ドレンパン８内全域に亙って、小量の抗菌剤量で最低抗菌剤濃度を確保できるようにしている。【選択図】        図１
2006138548.tif 000002
【特許請求の範囲】
【請求項１】
熱交換器（６）および送風機（７）を備え、前記熱交換器（６）の下方には、ドレン水（Ｄ）を受け止めるドレンパン（８）を設けてなる空気調和機であって、前記ドレンパン（８）には、排水位置から最も遠い位置までの距離の中間位置より反排水側に抗菌剤（１９）を配置したことを特徴とする空気調和機。
【請求項２】
前記抗菌剤（１９）の配置位置を、前記ドレンパン（８）内のドレン水（Ｄ）が排出されていない状態で必要最低抗菌剤濃度を確保するに必要十分な抗菌剤（１９）の量と前記ドレンパン（８）内のドレン水（Ｄ）が排出されている状態で必要最低抗菌剤濃度を確保するに必要十分な抗菌剤（１９）の量とが一致する位置に設定したことを特徴とする請求項１記載の空気調和機。
【請求項３】
前記抗菌剤（１９）を、前記ドレンパン（８）の縁部（８ａ）に取り付けたことを特徴とする請求項１および２のいずれか一項記載の空気調和機。
【請求項４】
前記抗菌剤（１９）を、前記熱交換器（６）に取り付けたことを特徴とする請求項１および２のいずれか一項記載の空気調和機。
【発明の詳細な説明】
【技術分野】
【０００１】
本願発明は、空気調和機に関し、さらに詳しくはドレンパン内の静菌効果（換言すれば、細菌の繁殖抑制効果）を最大限に発揮できるようにした空気調和機に関するものである。
【背景技術】
【０００２】
一般の空気調和機は、熱交換器および送風機を備え、前記熱交換器の下方には、ドレン水を受け止めるドレンパンを設けて構成されているが、ドレンパン内のドレン水には細菌が繁殖することが多い。
【０００３】
ドレン水に細菌が繁殖すると、スライムが生成され、異臭やドレン配管の詰まりを発生させるという不具合が生ずる。
【０００４】
上記不具合に対処するために、ドレンパンに抗菌剤を入れてドレン水に浸漬させて細菌の発生を防止することとされている（特許文献１参照）。
【０００５】
【特許文献１】特開２０００−７４４０９。
【発明の開示】
【発明が解決しようとする課題】
【０００６】
ところで、抗菌剤には、使用する抗菌剤の種類によって異なるが、静菌効果を発揮する必要最低濃度が存在する。この必要最低濃度以上であれば、十分な静菌効果を発揮するが、濃度を高くし過ぎると、抗菌剤が多く必要となり、抗菌剤を無駄に消費することとなる。通常は、使用条件範囲内において最悪条件（例えば、抗菌剤の溶出濃度が最も低くなる条件）においても上記必要最低濃度を確保でき且つ耐用年数間に亙って静菌効果を発揮できることを前提として、抗菌剤浸漬量を決定することとなっている。
【０００７】
さらに、ドレン水は、冷房運転中においてはドレンパン内で排水側に向かって流れているが、運転停止中においてはドレンパン内に滞留している。このため、抗菌剤の溶出特性はドレン水の状態によって変化する。従って、上記溶出特性を把握した上で必要抗菌剤の量を決定しなければ、抗菌剤を無駄に消費することとなってしまう。
【０００８】
以下、上記溶出特性について詳述する。抗菌剤を反排水側に設置した場合の溶出特性は、静止ドレン水中（即ち、ドレン水非排出中）の場合においては図１４に示す通りであり、流水ドレン水中（即ち、ドレン水排出中）の場合においては図１５に示す通りである。ここで、図１４および図１５において、直線Ａは抗菌剤浸漬量が少ない場合を示し、直線Ｂは抗菌剤浸漬量がＷ1およびＷ2の場合を示し、直線Ｃは抗菌剤浸漬量が多い場合を示している。
【０００９】
上記結果によれば、図１４に示すように、静止ドレン水中では、排水側の抗菌剤濃度を確保するための抗菌剤量が必要となるため、反排水側では抗菌剤濃度が必要以上に高くなってしまうし、流水ドレン水中では、ドレン水の流れが反排水側から排水側に向かうので抗菌剤濃度の変化は非常に少なく、図１５に示すように、排水側の抗菌剤最低濃度を確保しても反排水側の抗菌剤濃度はあまり高くならない。
【００１０】
一方、抗菌剤を排水側に設置した場合の溶出特性は、静止ドレン水中の場合においては図１６に示す通りであり、流水ドレン水中の場合においては図１７に示す通りである。ここで、図１６および図１７において、直線Ａは抗菌剤浸漬量が少ない場合を示し、直線Ｂは抗菌剤浸漬量がＷ1およびＷ2の場合を示し、直線Ｃは抗菌剤浸漬量が多い場合を示している。
【００１１】
上記結果によれば、図１６に示すように、静止ドレン水中では、抗菌剤濃度は、図１４と反対になり、排水側では抗菌剤濃度が必要以上に高くなってしまうし、流水ドレン水中では、ドレン水の流れが反排水側から排水側に向かうので反排水側の抗菌剤濃度を確保するためには、流れに逆らった濃度拡散が必要となるところから、図１７に示すように、多量の抗菌剤が必要となり、結果として排水側の抗菌剤濃度が非常に高くなってしまう。
【００１２】
次に、抗菌剤を反排水側と排水側との中間位置に設置した場合の溶出特性は、静止ドレン水中の場合においては図１８に示す通りであり、流水ドレン水中の場合においては図１９に示す通りである。ここで、図１８および図１９において、曲線Ａは抗菌剤浸漬量が少ない場合を示し、曲線Ｂは抗菌剤浸漬量がＷ1およびＷ2の場合を示し、曲線Ｃは抗菌剤浸漬量が多い場合を示している。
【００１３】
上記結果によれば、図１８に示すように、静止ドレン水中では、排水側と反排水側の抗菌剤濃度は等しくなり、両者の中間位置で最大となるし、流水ドレン水中では、ドレン水の流れが反排水側から排水側に向かうので、図１９に示すように、排水側は、図１５と同様にほとんど濃度変化はないが、反排水側は、図１７と同様に抗菌剤濃度を確保するための抗菌剤が多量に必要となるところから、結果的には反排水側の抗菌剤濃度を確保すれば、中央部と排水側の抗菌剤濃度が非常に高くなってしまう。
【００１４】
以上のように、抗菌剤の設置位置とドレン水の状態（即ち、静止ドレン水か流水ドレン水か）により必要な抗菌剤の量が異なるため、抗菌剤の設置位置によっては抗菌剤を無駄に消費することとなるという不具合が生ずる。
【００１５】
本願発明は、上記の点に鑑みてなされたもので、ドレンパン内における抗菌剤（例えば、抗菌剤）の設置位置を工夫することにより、最小量の抗菌剤で十分な静菌効果を発揮させ得るようにすることを目的としている。
【課題を解決するための手段】
【００１６】
本願発明では、上記課題を解決するための第１の手段として、熱交換器６および送風機７を備え、前記熱交換器６の下方には、ドレン水Ｄを受け止めるドレンパン８を設けてなる空気調和機において、前記ドレンパン８における排水位置から最も遠い位置までの距離の中間位置より反排水側に抗菌剤１９を配設している。
【００１７】
上記のように構成したことにより、静止ドレン水中においても、流水ドレン水中においても、ドレンパン８内全域に亙って、小量の抗菌剤量で最低抗菌剤濃度を確保できることとなる。従って、ドレンパン８全域において十分な静菌効果を発揮できることとなり、スライムの発生が効果的に抑制される。
【００１８】
ちなみに、抗菌剤１９の設置位置より最も離れる位置で必要抗菌剤最低濃度を確保した場合の抗菌剤１９の設置位置と必要抗菌剤量との関係を、静止ドレン水中と流水ドレン水中とにおいて調べたところ、図３に示す結果が得られた。これによれば、ドレンパン８における排水位置から最も遠い位置までの距離の中間位置Ｐ1より反排水側に抗菌剤１９を配設するのが必要抗菌剤量を小さく抑えつつ、十分な静菌効果を得る上で好ましいことが分かる。
【００１９】
本願発明では、さらに、上記課題を解決するための第２の手段として、上記第１の手段を備えた空気調和機において、前記抗菌剤１９の配設位置を、前記ドレンパン８内のドレン水Ｄが排出されていない状態で必要最低抗菌剤濃度を確保するに必要十分な抗菌剤１９の量と前記ドレンパン８内のドレン水Ｄが排出されている状態で必要最低抗菌剤濃度を確保するに必要十分な抗菌剤１９の量とが一致する位置Ｐに設定することもでき、そのように構成した場合、必要抗菌剤量を最小としつつ十分な静菌効果を得ることができる。
【００２０】
本願発明では、さらに、上記課題を解決するための第３の手段として、上記第１又は第２の手段を備えた空気調和機において、前記抗菌剤１９を、前記ドレンパン８の縁部８ａに取り付けることもでき、そのように構成した場合、ドレンパン８の縁部８ａを利用して抗菌剤１９を取り付けることができることとなり、構造の簡略化を図ることができる。
【００２１】
本願発明では、さらに、上記課題を解決するための第４の手段として、上記第１又は第２の手段を備えた空気調和機において、前記抗菌剤１９を、前記熱交換器６に取り付けることもでき、そのように構成した場合、熱交換器６を利用して抗菌剤１９を取り付けることができることとなり、構造の簡略化を図ることができる。
【発明の効果】
【００２２】
本願発明の第１の手段によれば、熱交換器６および送風機７を備え、前記熱交換器６の下方には、ドレン水Ｄを受け止めるドレンパン８を設けてなる空気調和機において、前記ドレンパン８における排水位置から最も遠い位置までの距離の中間位置より反排水側に抗菌剤１９を配設して、静止ドレン水中においても、流水ドレン水中においても、ドレンパン８内全域に亙って、小量の抗菌剤量で最低抗菌剤濃度を確保できるようにしたので、ドレンパン８全域において十分な静菌効果を発揮できることとなり、スライムの発生を効果的に抑制することができるという効果がある。
【００２３】
本願発明の第２の手段におけるように、上記第１の手段を備えた空気調和機において、前記抗菌剤１９の配設位置を、前記ドレンパン８内のドレン水Ｄが排出されていない状態で必要最低抗菌剤濃度を確保するに必要十分な抗菌剤１９の量と前記ドレンパン８内のドレン水Ｄが排出されている状態で必要最低抗菌剤濃度を確保するに必要十分な抗菌剤１９の量とが一致する位置に設定することもでき、そのように構成した場合、必要抗菌剤量を最小としつつ十分な静菌効果を得ることができる。
【００２４】
本願発明の第３の手段におけるように、上記第１又は第２の手段を備えた空気調和機において、前記抗菌剤１９を、前記ドレンパン８の縁部８ａに取り付けることもでき、そのように構成した場合、ドレンパン８の縁部８ａを利用して抗菌剤１９を取り付けることができることとなり、構造の簡略化を図ることができる。
【００２５】
本願発明の第４の手段におけるように、上記第１又は第２の手段を備えた空気調和機において、前記抗菌剤１９を、前記熱交換器６に取り付けることもでき、そのように構成した場合、熱交換器６を利用して抗菌剤１９を取り付けることができることとなり、構造の簡略化を図ることができる。
【発明を実施するための最良の形態】
【００２６】
以下、添付の図面を参照して、本願発明の好適な実施の形態について説明する。
【００２７】
本実施の形態にかかる空気調和機は、天井埋込式空気調和機とされており、図１に示すように、天井Ｆに形成された矩形形状の開口１の上方に位置して天井裏の棟木（図示省略）に対して吊りボルト２，２を介して吊り下げ支持された空気調和機本体３と、前記開口１を覆う化粧パネル４とによって構成されている。
【００２８】
前記空気調和機本体１は、略直方体形状のケーシング５内に熱交換器６および送風機７を配設するとともに、前記熱交換器６の下方には、該熱交換器６から落下するドレン水Ｄを受け止めるドレンパン８が配設されている。符号９はベルマウス、１０は空気通路である。
【００２９】
前記化粧パネル４は、前記開口１を覆うに足る大きさを有する矩形形状とされており、その中央部には、空気吸込口１１が形成され、該空気吸込口１１の回りには、前記空気通路１０とそれぞれ連通する４個の空気吹出口１３が形成されている。
【００３０】
前記熱交換器６は、開放部１４を有する略環状とされており、例えばクロスフィンコイルタイプの熱交換器とされている。
【００３１】
前記ドレンパン８は、図２に示すように、前記熱交換器６の形状と対応するように、開放部１５を有する略環状とされており、断面Ｕ字状とされている。また、このドレンパン８における一端部側には、ドレン水Ｄを汲み上げるドレンポンプ１６が配設されている。従って、本実施の形態においては、ドレンパン８において、ドレンポンプ１６が配設されている側が排水側とされ、反対側が反排水側とされることとなる。符号１７はドレンポンプ１６の吐出管、１８は現地配管されるドレン配管である。
【００３２】
そして、前記ドレンパン８内には、ドレン水Ｄに浸漬した状態で抗菌剤１９が配置されるが、前述したように、抗菌剤の配置位置とドレン水の状態（即ち、静止ドレン水か流水ドレン水か）により必要な抗菌剤の量が異なるため、抗菌剤の設置位置によっては抗菌剤を無駄に消費することとなるという不具合が生ずる。
【００３３】
そこで、本実施の形態においては、前記ドレンパン８における排水位置から最も遠い位置（即ち、反排水位置）までの距離の中間位置より反排水側に抗菌剤を配設するようにしている。
【００３４】
このようにすると、静止ドレン水中においても、流水ドレン水中においても、ドレンパン８内全域に亙って、小量の抗菌剤量で最低抗菌剤濃度を確保できることができる。従って、ドレンパン８全域において十分な静菌効果を発揮できることとなり、スライムの発生を効果的に抑制することができることとなる。
【００３５】
ちなみに、抗菌剤１９の設置位置より最も離れる位置で必要抗菌剤最低濃度を確保した場合の抗菌剤の設置位置と必要抗菌剤量との関係を、静止ドレン水中と流水ドレン水中とにおいて調べたところ、図３に示す結果が得られた。図３において、折れ線Ｘは静止ドレン水中の場合を示し、直線Ｙは流水ドレン水中の場合を示し、折れ線Ｚは、抗菌剤１９の設置位置より最も離れる位置で必要抗菌剤最低濃度を確保できる必要抗菌剤量を示している。これによれば、ドレンパン８における排水位置から最も遠い位置（即ち、反排水位置）までの距離の中間位置Ｐ1より反排水側に抗菌剤１９を配設するのが必要抗菌剤量を小さく抑えつつ、十分な静菌効果を得る上で好ましいことが分かる。
【００３６】
また、図３の結果から考察すると、前記抗菌剤１９の配設位置を、前記ドレンパン８内のドレン水Ｄが排出されていない状態で必要最低抗菌剤濃度を確保するに必要十分な抗菌剤１９の量と前記ドレンパン８内のドレン水Ｄが排出されている状態で必要最低抗菌剤濃度を確保するに必要十分な抗菌剤１９の量とが一致する位置（即ち、折れ線Ｘと直線Ｙとん交差する位置）Ｐに設定するのが、必要抗菌剤量を最小としつつ十分な静菌効果を得るために望ましいことが分かる。
【００３７】
ところで、上記抗菌剤は、例えば図４（イ）の正面図、（ロ）の内部拡大図および図５（イ）の平面図、（ロ）の内部拡大図に示すように、多数の開孔部２１，２１・・を有する円筒形状の保持容器２０内に粒状またはペレット状の抗菌剤１９，１９・・を収容してなる抗菌剤ユニットＫとして配置されたり、例えば図６（イ）の正面図、（ロ）の内部拡大図および図７（イ）の平面図、（ロ）の内部拡大図に示すように、多数の開孔部２１，２１・・を有するシート形状の保持容器２０内に粒状またはペレット状の抗菌剤１９，１９・・を収容してなる抗菌剤ユニットＫとして配置されたりする。なお、図７（ハ）の内部拡大図に示すように、保持容器２０を外周部を溶着した網状部材で構成する場合もある。これらの場合、開孔部２１の大きさは、抗菌剤１９の粒子径あるいはペレット径より小さくされている。なお、保持容器２０の形状は、上記以外の形状（例えば、多角形筒形状あるいは楕円筒形状）でもよく、その壁面は、網、多孔質、不織布、パンチングプレート等のように開孔部（明確な開口部がなくとも水の出入りが可能であればよい）をもつものであればなんでも良い。また、開孔部の形状はなんでもよい。また、保持容器２１の材質は、金属、合成樹脂、布等のように水に対して大局的に不溶性のものであれば良い。さらに、保持容器２０は、自立性（即ち、容器自体で形状を保持できるもの）があってもなくても（例えば、袋のように容器自体で形状を保てないもの）良い。
【００３８】
また、図８（イ）の正面図、（ロ）の内部拡大図および図９（イ）の平面図、（ロ）の内部拡大図に示すように、合成樹脂等の材料からなる保持材２２に抗菌剤１９，１９・・を練り込んで構成された抗菌剤ユニットＫとして配置する場合もある。この場合、保持材２２の形状は、円柱形状、多角形柱形状、楕円柱形状、シート形状等のいずれでもよい。  さらにまた、ドレンパン８の内面に形成された合成樹脂等からなる被覆層内に抗菌剤を練り込む場合もある。
【００３９】
次に、上記した抗菌剤ユニットＫの取付態様について説明する。
【００４０】
例えば、図１０に示すように、ドレンパン８の縁部８ａに逆Ｕ字状の取付部品２４を介して引っかけるようにして取り付けてもよく、図１１（イ）に示すように、熱交換器６を構成するフィン２５の間に挟み込むようにして取り付けても、図１１（ロ）に示すように、熱交換器６を構成する伝熱管２６に横Ｕ字状の取付部品２７挟み込むようにして取り付けてもよい。
【００４１】
また、図１２に示すように、抗菌剤ユニットを２個用いる場合もある。この場合、ドレンパン８における反排水側から排水側に至る距離を３等分し、反排水側の２カ所に抗菌剤ユニットＫ1，Ｋ2を配置する。ここで、排水側に位置する抗菌剤ユニットＫ2は補助的に使用されるものとする。
【００４２】
また、図１３に示すように、抗菌剤ユニットを３個用いる場合もある。この場合、ドレンパン８における反排水側から排水側に至る距離を４等分し、反排水側の３カ所に抗菌剤ユニットＫ1，Ｋ2，Ｋ3を配置する。ここで、排水側に位置する抗菌剤ユニットＫ2，Ｋ3は補助的に使用されるものとする。
【図面の簡単な説明】
【００４３】
【図１】本願発明の実施の形態にかかる空気調和機の縦断面図である。
【図２】本願発明の実施の形態にかかる空気調和機におけるドレンパンの平面図である。
【図３】抗菌剤の設置位置より最も離れる位置で必要抗菌剤最低濃度を確保した場合の抗菌剤の設置位置と必要抗菌剤量との関係を、静止ドレン水中と流水ドレン水中において調べた結果を示す特性図である。
【図４】本願発明の実施の形態にかかる空気調和機におけるドレンパンにおいて使用される抗菌剤の使用形態例Ｉを示すものであり、（イ）は正面図、（ロ）は内部拡大図である。
【図５】本願発明の実施の形態にかかる空気調和機におけるドレンパンにおいて使用される抗菌剤の使用形態例Ｉを示すものであり、（イ）は平面図、（ロ）は内部拡大図である。
【図６】本願発明の実施の形態にかかる空気調和機におけるドレンパンにおいて使用される抗菌剤の使用形態例ＩＩを示すものであり、（イ）は正面図、（ロ）は内部拡大図である。
【図７】本願発明の実施の形態にかかる空気調和機におけるドレンパンにおいて使用される抗菌剤の使用形態例ＩＩを示すものであり、（イ）は平面図、（ロ）は内部拡大図である。
【図８】本願発明の実施の形態にかかる空気調和機におけるドレンパンにおいて使用される抗菌剤の使用形態例ＩＩＩを示すものであり、（イ）は正面図、（ロ）は内部拡大図である。
【図９】本願発明の実施の形態にかかる空気調和機におけるドレンパンにおいて使用される抗菌剤の使用形態例ＩＩＩを示すものであり、（イ）は平面図、（ロ）は内部拡大図、（ハ）は変形例を示す内部拡大図である。
【図１０】本願発明の実施の形態にかかる空気調和機におけるドレンパンにおいて使用される抗菌剤の取付形態Ｉを示す要部拡大断面図である。
【図１１】本願発明の実施の形態にかかる空気調和機におけるドレンパンにおいて使用される抗菌剤の取付形態ＩＩを示す要部拡大断面図であり、（イ）は熱交換器のフィンに挟み込む場合、（ロ）は熱交換器の伝熱管に取り付ける場合を示す。
【図１２】本願発明の実施の形態にかかる空気調和機におけるドレンパンにおいて抗菌剤を２個使用した場合を示す断面図である。
【図１３】本願発明の実施の形態にかかる空気調和機におけるドレンパンにおいて抗菌剤を３個使用した場合を示す断面図である。
【図１４】抗菌剤をドレンパンの反排水側に設置した場合における静止ドレン水中の抗菌剤の溶出特性を示す特性図である。
【図１５】抗菌剤をドレンパンの反排水側に設置した場合における流水ドレン水中の抗菌剤の溶出特性を示す特性図である。
【図１６】抗菌剤をドレンパンの排水側に設置した場合における静止ドレン水中の抗菌剤の溶出特性を示す特性図である。
【図１７】抗菌剤をドレンパンの排水側に設置した場合における流水ドレン水中の抗菌剤の溶出特性を示す特性図である。
【図１８】抗菌剤をドレンパンの反排水側と排水側との中間位置に設置した場合における静止ドレン水中の抗菌剤の溶出特性を示す特性図である。
【図１９】抗菌剤をドレンパンの反排水側と排水側との中間位置に設置した場合における流水ドレン水中の抗菌剤の溶出特性を示す特性図である。
【符号の説明】
【００４４】
６は熱交換器
７は送風機
８はドレンパン
８ａは縁部
１９は抗菌剤
Ｄはドレン水
【図１】
2006138548.tif 000003
【図２】
2006138548.tif 000004
【図３】
2006138548.tif 000005
【図４】
2006138548.tif 000006
【図５】
2006138548.tif 000007
【図６】
2006138548.tif 000008
【図７】
2006138548.tif 000009
【図８】
2006138548.tif 000010
【図９】
2006138548.tif 000011
【図１０】
2006138548.tif 000012
【図１１】
2006138548.tif 000013
【図１２】
2006138548.tif 000014
【図１３】
2006138548.tif 000015
【図１４】
2006138548.tif 000016
【図１５】
2006138548.tif 000017
【図１６】
2006138548.tif 000018
【図１７】
2006138548.tif 000019
【図１８】
2006138548.tif 000020
【図１９】
2006138548.tif 000021